(57)【要約】【課題】パチンコ玉を使用して遊技する回胴式遊技機であって、回転式ドラム周りの意匠性を高めるとともに、遊技中の必要情報を表示する表示ユニットのメンテナンスを簡素化する。【解決手段】回胴式遊技機１０は、回転式リール１２を回転可能に組み込んだ本体パネル１１の前面側上部に化粧パネル２０が開閉可能に取り付けられている。この化粧パネル２０は、回転式リール１２を臨ませる窓部２２を有する化粧板２１が取り付けられ、化粧パネル２０に大当たり残度数、パチンコ玉払出個数、パチンコ玉現有個数等を表示する表示ユニット２４が設置され、これら表示ユニット２４のメンテナンス時には、化粧パネル２０を開放操作するだけで簡単に行なえる。【選択図】図４
2006116032.tif 000002
【特許請求の範囲】
【請求項１】
遊技機の本体パネルに複数列の回転式リールが回転可能に収容され、上皿に貯留したパチンコ玉を所定個数遊技機内に投入した後、各リールを回転させ、回転する各リールを停止ボタンを順次操作して停止させ、停止時における所定の図柄配列で賞球の払い出しが行なわれる回胴式遊技機であって、
前記本体パネルの前面側上部には、回転式リールを臨ませる窓部を開設した化粧パネルが開閉可能に取り付けられていることを特徴とする回胴式遊技機。
【請求項２】
前記開閉式の化粧パネルには、遊技情報を表示する表示ユニットが取り付けられていることを特徴とする請求項１に記載の回胴式遊技機。
【発明の詳細な説明】
【技術分野】
【０００１】
この発明は、パチンコ玉を使用して遊技する回胴式遊技機に係り、特に、遊技機本体の上部に、回転式リールを臨ませるための窓部を開設した化粧パネルを開閉可能に取り付けることで、ドラム周りの意匠性を高め、かつ遊技情報を表示する表示ユニットの交換乃至点検作業も簡単に行なえる回胴式遊技機に関する。
【背景技術】
【０００２】
現在、ほとんどのホールでは、パチンコ機とスロット機の双方が設置されており、ＣＲ機、現金機、羽根物等のパチンコ機は、パチンコ玉を使用して遊技を行ない、スロット機はメダルを使用して遊技を行なっているのが実情である。
【０００３】
ところで、最近、パチンコ、パチスロ業界において、法規や内規の改正等により、既存の遊技機のもつゲーム性への規制が緩和され、新たなゲーム性をもつ遊技機の開発が盛んに行なわれている。その一環として、パチンコ玉を使用して遊技を行なうスロット機が注目されている（特許文献１参照）。
【０００４】
このパチンコ玉遊技タイプのスロット機の長所としては、遊技者サイドにおいては、上皿に貯留したパチンコ玉が自動的に投入装置に送られ、ボタン操作だけでリールが回転するため、スロット機のように、メダルを投入する手間が省け、操作が簡素化されるとともに、パチンコ機からスロット機に移る場合、従来ではパチンコ玉を一旦清算し、新たにメダルを購入する必要があり、逆にスロット機からパチンコ機に移る場合についても同様の手間がかかり、パチンコ機において台移動自由の遊技場が多いことから、パチンコ機及びスロット機において持ち玉を共有できるという有利さがある。一方、ホール側においても、パチンコ機、スロット機双方において、パチンコ玉だけの取り扱いで済むため、管理が容易であるとともに、パチンコ玉（メダル）の洗浄・乾燥装置や循環供給装置等の設備費用を低減できるという利点がある。
【特許文献１】特開昭６２−２８６４８７号公報
【発明の開示】
【発明が解決しようとする課題】
【０００５】
このように、従来のパチンコ玉遊技タイプのスロット機においては、大当たり残度数や、払出個数、現有パチンコ玉数等の遊技情報等の表示ユニットが設けられているが、これら表示ユニットは不正動作防止のため、警察の指導のもと、定期的に検査やメンテナンスが行われている。しかし、表示ユニットの検査、あるいはメンテナンス時においては、本体パネルを開放する必要があり、本体パネルは回転式リール、各種基板、パチンコ玉処理機構等を組み込んだ構成であるため、本体パネル自体の開放操作が大掛かりとなり、表示ユニットのメンテナンスが面倒である。また、開放操作が大掛かりという点から、開放頻度が減り回路基板装置を不正に操作する業者が現れるという欠点があった。
【０００６】
この発明は、このような事情に鑑みてなされたもので、パチンコ玉を使用するスロット機（以下本発明では回胴式遊技機という）であり、回転式リール周りの意匠性を高めることができるとともに、遊技中に表示されるパチンコ玉払出個数やパチンコ玉現有個数等の必要情報を表示する表示ユニットの検査やメンテナンスも簡単に行なえる回胴式遊技機を提供することを目的とする。
【課題を解決するための手段】
【０００７】
上記目的を達成するために、本発明は、遊技機の本体パネルに複数列の回転式リールが回転可能に収容され、上皿に貯留したパチンコ玉を所定個数遊技機内に投入した後、各リールを回転させ、回転する各リールを停止ボタンを順次操作して停止させ、停止時における所定の図柄配列で賞球の払い出しが行なわれる回胴式遊技機であって、前記本体パネルの前面側上部には、回転式リールを臨ませる窓部を開設した化粧パネルが開閉可能に取り付けられており、その化粧パネルには表示用回路基板が取り付けられていることを特徴とする。
【０００８】
そして、上記構成によれば、前記開閉式の化粧パネルには、遊技情報を表示する表示ユニットが取り付けられていることを特徴とする。
【０００９】
そして、この好ましい実施の形態によれば、開閉式の化粧パネルにゲーム中のパチンコ玉払出個数やパチンコ玉の現有個数を表示する表示ユニットが配設されているため、これら表示ユニットの検査、あるいはメンテナンス時において、本体パネルそれ自体を開放するという大掛かりな作業を省略でき、化粧パネルのみを開放操作すれば良いため、表示ユニット等のメンテナンスを簡単に完了させることができる。
【発明の効果】
【００１０】
以上説明した通り、本発明に係る回胴式遊技機は、回転式リールを組み込んだ本体パネルに対して、回転式リールを臨ませるための窓部を設けた化粧パネルが遊技機の本体パネルに対して開閉可能に取り付けられるという構成であるため、この化粧パネルに遊技中の必要情報を表示する表示ユニットを配設するという構成のため、化粧パネルのみの開放操作で表示ユニットのメンテナンスを簡単に終了させることができ、メンテナンス作業を簡素化できるという効果を有する。
【発明を実施するための最良の形態】
【００１１】
以下、本発明に係る回胴式遊技機の好適な実施の形態について、添付図面を参照しながら詳細に説明する。
【００１２】
図１は本発明に係る回胴式遊技機の正面図、図２は同回胴式遊技機の裏面図を示す。図面において、回胴式遊技機１０は、パチンコの島の木枠に開放可能となる前扉部分として取り付けられている本体パネル１１に回転式ドラム（中央と左右の３列のリール１２ａ，１２ｂ，１２ｃ）が回転可能に収容されており、本体パネル１１の前面下側には、上皿ユニット１３、その下方に下皿１４が備え付けられている。
【００１３】
更に、上皿ユニット１３には、図柄配列の有効ラインを選択できるＢＥＴボタン１５（１ＢＥＴボタン１５ａ、２ＢＥＴボタン１５ｂ、ＭＡＸＢＥＴボタン１５ｃ）が設けられている。詳しくは、このＢＥＴボタン１５のいずれかを押圧操作すれば、パチンコ玉の投入処理が行なわれることになり、１ＢＥＴボタン１５ａでは図柄配列は中央の横１列だけが有効ラインであり、２ＢＥＴボタン１５ｂでは上、中、下の横３列の３ラインが有効ラインとなり、ＭＡＸＢＥＴボタン１５ｃを操作すれば、上、中、下の横３列に加えて斜め２列の５ラインが有効ラインとなる。
【００１４】
また、ＢＥＴボタン１５の下方には、スタートレバー（握り玉）１６が設けられており、このスタートボタン１６の操作により、回転式リール１２ａ，１２ｂ，１２ｃが回転を開始する。そして、ＢＥＴボタン１５やスタートレバー１６の操作状況は、表示部１７の各ＢＥＴランプやスタートランプの点灯、点滅、消灯等で表示される。
【００１５】
更に、上皿ユニット１３の中央には、回転式リール１２ａ，１２ｂ，１２ｃを対応して停止させるための停止ボタン１８ａ，１８ｂ，１８ｃが設けられているとともに、右側には精算用レバー１９が取り付けられている。そして、本発明に係る回胴式遊技機１０は、本体パネル１１の前面側上部に化粧パネル２０が開閉式に取り付けられていることが構成上の特徴であり、この化粧パネル２０の構成を詳細に説明する前に、図２を基に回胴式遊技機１０の裏面側の全体構成について簡単に説明する。
【００１６】
図２において、本体パネル１１の裏面側ほぼ中央には、回転式リール１２ａ，１２ｂ，１２ｃの背面側を保護するように、バックカバー３０が取り付けられており、その他の本体パネル１１の裏面側スペースには、主回路基板３１ａ、サブ回路基板３１ｂ、ブレーキ基板３１ｃ、中継基板３１ｄ、外部信号基板３１ｅ等の各種基板が取り付けられるとともに、本体パネル１１の裏面上部側には、パチンコ玉を貯留するホッパー３２と、ホッパー３２の下流端に上記ホッパー３２と一体化されたパチンコ玉払出装置３３が設けられている。このパチンコ玉払出装置３３では、賞球指令があった場合、モーター３３ａが回転し、内部機構が駆動し、パチンコ玉を整列収容させるとともに、パチンコ玉の高速払い出しを行なう。
【００１７】
そして、パチンコ玉払出装置３３からのパチンコ玉は、パチンコ玉通路３４に送られる。図面では各種回路基板３１によりパチンコ玉処理機構部が隠されているが、このパチンコ玉通路３４に送られるパチンコ玉は、賞球玉については上皿ユニット１３の上皿トレイに供給され、賞球時以外のパチンコ玉は回収側通路に送られ、最終的に供給タンクに回収される。
【００１８】
また、本体パネル１１の裏面下部には、パチンコ玉投入装置３５が設けられており、このパチンコ玉投入装置３５についても、モーター３５ａの駆動により、内部ディスクが回転して、パチンコ玉を環状に整列収容するとともに、上述したＢＥＴボタン１５の操作により、規定個数のパチンコ玉を高速に計数処理する機能をもつ。
【００１９】
以上が回胴式遊技機１０の概略構成であり、次に、遊戯内容について簡単に説明すると、まず、上皿ユニット１３の上皿トレイに遊技者がパチンコ玉を収容すれば、上皿トレイの下流側の上皿側ホッパー３６に計数された状態でパチンコ玉が収容される。そして、上皿側ホッパー３６にパチンコ玉があることが前提となり、遊技者はＢＥＴボタン１５を任意に選択して、ＢＥＴボタン１５を操作することにより、パチンコ玉投入装置３５が駆動して、規定個数のパチンコ玉が高速で計数・投入される。次に、遊技者はスタートボタン１６を操作することで回転式リール１２ａ，１２ｂ，１２ｃが逐次回転し、停止ボタン１８ａ，１８ｂ，１８ｃを順次押圧操作することで、回転式リール１２ａ，１２ｂ，１２ｃを停止させて、停止時における図柄配列が特定の図柄配列に一致すれば、ホッパー３２に貯留されたパチンコ玉がパチンコ玉払出装置３３からパチンコ玉通路３４、賞球側通路を経て上皿ユニット１３の上皿トレイに払い出されることになる。
【００２０】
ところで、本発明は、このような回胴式遊技機１０の遊技に直接関係する表示ユニットのメンテナンスを簡素化できることが特徴である。そのために、本体パネル１１の前面側上部に化粧パネル２０が開閉可能に取り付けられており、この化粧パネル２０は、図３で正面図、図４で開放した状態の裏面図を示すが、この化粧パネル２０は、ほぼ中央に化粧板２１が配置され、この化粧板２１の中央には、回転式リール１２を臨ませる窓部２２が開設されているとともに、窓部２２の周囲には、遊技機の機種名やゲームキャラクター、図柄の配列例やゲーム内容をイメージさせる意匠模様等が描かれている。また、この化粧板２１の周囲を取り囲むようにランプパネル２３が配置され、このランプパネル２３は、ボーナス時等、点滅を繰り返すことでゲーム性を盛り上げる機能をもつ。
【００２１】
更に、化粧パネル２０には、図示するように、３箇所に表示ユニット２４が設けられており、それぞれ７セグメントのデジタル表示ユニット２４である。図中中央から右側に向けて、１番目の表示ユニット２４ａはパチンコ玉の現有個数を表示する。すなわち、上皿側ホッパー３６に貯留されているパチンコ玉個数からパチンコ玉投入装置３５により計数・投入されたパチンコ玉個数を減じた数字がデジタル表示される。その隣の２番目の表示ユニット２４ｂは、大当たり残度数をこれもデジタル表示する。残る３番目の表示ユニット２４ｃは、賞球時におけるパチンコ玉の払出個数がパチンコ玉払出装置３３で計数された数値がデジタル表示される。このように、表示ユニット２４はゲーム中の重要な情報をリアルタイムで表示する。
【００２２】
図４はこの化粧パネル２０を本体パネル１１に対して前側に開放操作した状態を示すもので、上述した表示ユニット２４ａ，２４ｂ，２４ｃには、対応する箇所に表示用回路基板２５ａ，２５ｂ，２５ｃが対応して取り付けられている。尚、この化粧パネル２０は、上下の蝶番２６を介して本体パネル１１に対して開閉可能に取り付けられている。本発明は、化粧パネル２０を前側に解放できることで、表示用回路基板２５ａ，２５ｂ，２５ｃの検査やメンテナンスを簡単に終了させることができ、メンテナンス作業を簡素化できるという効果を有することを特徴としている。
【００２３】
このように、本発明に係る回胴式遊技機１０は、本体パネル１１の前面側上部に化粧パネル２０を開閉式に取り付け、化粧パネル２０に意匠効果に富む化粧板２１を直接配置し、化粧板２１の周囲にランプパネル２３を配置し、かつ遊技に必要な情報を表示する表示ユニット２４を組み込んだ構成であるため、表示ユニット２４の検査、あるいはメンテナンス作業においては、化粧パネル２０のみを開放操作して、メンテナンスを行なえば、簡単に作業が終了するため、表示ユニット２４のメンテナンス作業が簡素化できるとい利点がある。
【００２４】
実施例の化粧パネル２０における化粧板２１には、機種名、ゲームキャラクター、図柄配列例等を施すことが好ましいが、化粧板の表面に施される意匠模様等は適宜変更して良い。また、表示ユニット２４で表示されるデジタル数値としても、大当たり残度数、パチンコ玉の現有個数、払出個数の他にゲーム性の変更により適宜変更しても良い。
【産業上の利用可能性】
【００２５】
本発明によれば、回胴式遊技機において、回転式リール周りの意匠性を高めることができるとともに、遊技中に表示されるパチンコ玉払出個数やパチンコ玉現有個数等の必要情報を表示する表示ユニットのメンテナンスも簡単に行なうことが可能となる。
【図面の簡単な説明】
【００２６】
【図１】本発明に係る回胴式遊技機の一実施例を示す正面図である。
【図２】図１に示す回胴式遊技機の裏面図である。
【図３】図１に示す回胴式遊技機に取り付けられる化粧パネルの正面図である。
【図４】図１に示す回胴式遊技機において化粧パネルを開放した状態での化粧パネルの裏面側を示す正面図である。
【符号の説明】
【００２７】
１０  回胴式遊技機
１１  本体パネル
１２ａ，１２ｂ，１２ｃ  回転式リール
１３  上皿ユニット
１４  下皿
１５  ＢＥＴボタン
１５ａ  １ＢＥＴボタン
１５ｂ  ２ＢＥＴボタン
１５ｃ  ＭＡＸＢＥＴボタン
１６  スタートレバー（握り玉）
１７  表示部
１８ａ，１８ｂ，１８ｃ  停止ボタン
１９  精算用レバー
２０  化粧パネル
２１  化粧板
２２  窓部
２３  ランプパネル
２４ａ，２４ｂ，２４ｃ  表示ユニット
２５ａ，２５ｂ，２５ｃ  表示用回路基板
２６  蝶番
３０  バックカバー
３１  回路基板
３２  ホッパー
３３  パチンコ玉払出装置
３５  パチンコ玉投入装置
３６  上皿側ホッパー
【図１】
2006116032.tif 000003
【図２】
2006116032.tif 000004
【図３】
2006116032.tif 000005
【図４】
2006116032.tif 000006